(57)【要約】【課題】  ユーザの位置情報と位置情報履歴とに基づき、地図情報の表示尺度を決定でき、ユーザが表示尺度を指定する手間を省くとともに適切な尺度で地図情報を提供することが可能な地図表示制御システムおよびそのプログラムを提供する。【解決手段】  地図情報を記憶するための地図情報記憶手段と、ユーザが訪問した場所を示す位置情報を取得するための位置情報取得手段（２１）と、取得した位置情報を時系列にて蓄積して位置情報履歴を作成するための位置情報履歴作成手段（２２）と、位置情報履歴に基づいて場所ごとの訪問の頻度と履歴を関連付けて訪問頻度履歴として作成する訪問頻度履歴作成手段（２２）と、訪問頻度履歴に基づいて地図情報の表示の尺度を決定するための表示尺度決定手段（２４）と、決定した尺度に基づき地図情報記憶手段から該当する地図情報を呼出して表示するための地図情報表示手段（２７）と、を備える。【選択図】      図１
2005321259.tif 000002
【特許請求の範囲】
【請求項１】
ユーザの位置情報およびその訪問履歴に基づいた表示尺度により地図情報の表示を行うための地図表示制御システムであって、
前記地図情報を記憶するための地図情報記憶手段と、
前記ユーザが訪問した場所を示す前記位置情報を取得するための位置情報取得手段と、
取得した前記位置情報を時系列にて蓄積して位置情報履歴を作成するための位置情報履歴作成手段と、
前記位置情報履歴に基づいて前記場所ごとの訪問の頻度と履歴を関連付けて訪問頻度履歴として作成する訪問頻度履歴作成手段と、
前記訪問頻度履歴に基づいて前記地図情報の表示の尺度を決定するための表示尺度決定手段と、
決定した前記尺度に基づき前記地図情報記憶手段から該当する前記地図情報を呼出して表示するための地図情報表示手段と、
を備えることを特徴とする地図表示制御システム。
【請求項２】
前記地図情報表示手段は、
前記ユーザの現在位置を前記地図情報に表示する現在位置表示手段と、
前記訪問頻度履歴に基づいて前記ユーザが訪問した位置を前記地図情報に表示する訪問頻度履歴表示手段と、
を備えることを特徴とする請求項１に記載の地図表示制御システム。
【請求項３】
前記位置情報取得手段は、
前記位置情報を前記ユーザが任意に修正するための位置情報修正手段
を備えることを特徴とする請求項１または２のいずれかに記載の地図表示制御システム。
【請求項４】
前記地図情報表示手段は、
前記地図情報記憶手段から呼出す前記地図情報の尺度を前記表示尺度決定手段が決定した前記尺度以外の他尺度による前記地図情報を呼出すための他尺度地図情報呼出し手段と、
前記他尺度地図情報呼出し手段により呼出された他尺度の前記地図情報を記憶するための地図情報一時記憶手段と、
前記ユーザの任意により前記地図情報一時記憶手段に記憶された他尺度の前記地図情報に基づいて前記表示の尺度を修正するための地図表示尺度変更手段と、
を備えることを特徴とする請求項１〜３のいずれかに記載の地図表示制御システム。
【請求項５】
ユーザの位置情報およびその訪問履歴に基づいた表示尺度により地図情報の表示を行うための地図表示制御プログラムであって、
前記地図情報を記憶するための地図情報記憶手段により前記地図情報を記憶するステップと、
前記ユーザが訪問した場所を示す前記位置情報を取得するための位置情報取得手段により前記位置情報を取得するステップと、
取得した前記位置情報を時系列にて蓄積して位置情報履歴を作成するための位置情報履歴作成手段により前記位置情報履歴を作成するステップと、
前記位置情報履歴に基づいて前記場所ごとの訪問の頻度と履歴を関連付けて訪問頻度履歴として作成する訪問頻度履歴作成手段により前記訪問頻度履歴を作成するステップと、
前記訪問頻度履歴に基づいて前記地図情報の表示の尺度を決定するための表示尺度決定手段により前記表示の尺度を決定するステップと、
決定した前記尺度に基づき前記地図情報記憶手段から該当する前記地図情報を呼出して表示するための地図情報表示手段により前記地図情報を呼出して表示するステップと、
を有することを特徴とする地図表示制御プログラム。
【請求項６】
前記地図情報表示手段は、
前記ユーザの現在位置を前記地図情報に表示する現在位置表示手段と、
前記訪問頻度履歴に基づいて前記ユーザが訪問した位置を前記地図情報に表示する訪問頻度履歴表示手段と、
を備えることを特徴とする請求項５に記載の地図表示制御プログラム。
【請求項７】
前記位置情報取得手段は、
前記位置情報を前記ユーザが任意に修正するための位置情報修正手段
を備えることを特徴とする請求項５または６のいずれかに記載の地図表示制御プログラム。
【請求項８】
前記地図情報表示手段は、
前記地図情報記憶手段から呼出す前記地図情報の尺度を前記表示尺度決定手段が決定した前記尺度以外の他尺度による前記地図情報を呼出すための他尺度地図情報呼出し手段と、
前記他尺度地図情報呼出し手段により呼出された他尺度の前記地図情報を記憶するための地図情報一時記憶手段と、
前記ユーザの任意により前記地図情報一時記憶手段に記憶された他尺度の前記地図情報に基づいて前記表示の尺度を修正するための地図表示尺度変更手段と、
を備えることを特徴とする請求項５〜７のいずれかに記載の地図表示制御プログラム。
【発明の詳細な説明】
【技術分野】
【０００１】
本発明は、ユーザの位置情報履歴に基づいた表示尺度による表示を行うための地図表示制御システムおよびそのプログラムに関する。
【背景技術】
【０００２】
従来において、携帯情報端末に対して様々な種類の情報をユーザの要求に応じて提供することが行われている。携帯情報端末の技術的な性能や機能の向上に伴って、従来の音声通話は当然のことながら、電子メール機能やインターネットのＷｅｂサイトへアクセスし、情報提供を得ることが行われている。
【０００３】
こういった様々な情報の提供のうち、ユーザへ地図情報を提供するサービスも実施されており、必要なときにその場で地図情報を入手することが可能となり、その利便性も高く評価されている。
【０００４】
こうした地図情報の提供を受けるための携帯情報端末としては、ＰＨＳ（Personal Handyphone System）や携帯電話等が広く普及している。これらの携帯端末を用いたナビゲーションシステム（地図情報の提供）では、たとえば特開２００２−２１３９９０“携帯情報端末におけるナビゲーションシステム及び携帯情報端末における地図情報ダウンロード要求方法”に参照されるように、携帯情報端末の大きさや内蔵メモリの容量に制限があり、このため地図情報は、必要に応じて地図情報サーバからダウンロードして利用している。
【０００５】
このようなナビゲーションシステムにおいては、携帯情報端末を地図情報サーバに接続して、携帯情報端末に備わるＧＰＳにより測定した位置情報や、あるいはＰＨＳの基地局の位置情報を地図情報サーバへ送信することで、ユーザの現在位置についての地図情報を取得することが行われている。
【０００６】
（特許文献１参照）。
【特許文献１】特開２００２−２１３９９０号公報
【発明の開示】
【発明が解決しようとする課題】
【０００７】
しかしながら、従来のこれら技術において、携帯情報端末へ提供された地図情報の表示は、あらかじめ設定された縮尺で生成された地図情報を携帯情報端末へダウンロードしておき、ユーザはダウンロード済みの地図情報の縮尺を携帯情報端末の操作で任意に変更して利用しなければならなかった。
【０００８】
本発明は上記課題に鑑みてなされたもので、ユーザの位置情報と位置情報履歴とに基づき、地図情報の表示尺度を決定でき、ユーザが表示尺度を指定する手間を省くとともに適切な尺度で地図情報を提供することが可能な地図表示制御システムおよびそのプログラムを提供することを目的とする。
【課題を解決するための手段】
【０００９】
請求項１に記載の本発明は、ユーザの位置情報およびその訪問履歴に基づいた表示尺度により地図情報の表示を行うための地図表示制御システムであって、前記地図情報を記憶するための地図情報記憶手段と、前記ユーザが訪問した場所を示す前記位置情報を取得するための位置情報取得手段と、取得した前記位置情報を時系列にて蓄積して位置情報履歴を作成するための位置情報履歴作成手段と、前記位置情報履歴に基づいて前記場所ごとの訪問の頻度と履歴を関連付けて訪問頻度履歴として作成する訪問頻度履歴作成手段と、前記訪問頻度履歴に基づいて前記地図情報の表示の尺度を決定するための表示尺度決定手段と、決定した前記尺度に基づき前記地図情報記憶手段から該当する前記地図情報を呼出して表示するための地図情報表示手段と、を備える。
【００１０】
また、請求項２に記載の本発明は、請求項１において、前記地図情報表示手段は、前記ユーザの現在位置を前記地図情報に表示する現在位置表示手段と、前記訪問頻度履歴に基づいて前記ユーザが訪問した位置を前記地図情報に表示する訪問頻度履歴表示手段と、を備える。
【００１１】
また、請求項３に記載の本発明は、請求項１または２のいずれかにおいて、前記位置情報取得手段は、前記位置情報を前記ユーザが任意に修正するための位置情報修正手段を備える。
【００１２】
また、請求項４に記載の本発明は、請求項１〜３のいずれかにおいて、前記地図情報表示手段は、前記地図情報記憶手段から呼出す前記地図情報の尺度を前記表示尺度決定手段が決定した前記尺度以外の他尺度による前記地図情報を呼出すための他尺度地図情報呼出し手段と、前記他尺度地図情報呼出し手段により呼出された他尺度の前記地図情報を記憶するための地図情報一時記憶手段と、前記ユーザの任意により前記地図情報一時記憶手段に記憶された他尺度の前記地図情報に基づいて前記表示の尺度を修正するための地図表示尺度変更手段と、を備える。
【００１３】
また、請求項５に記載の本発明は、ユーザの位置情報およびその訪問履歴に基づいた表示尺度により地図情報の表示を行うための地図表示制御プログラムであって、前記地図情報を記憶するための地図情報記憶手段により前記地図情報を記憶するステップと、前記ユーザが訪問した場所を示す前記位置情報を取得するための位置情報取得手段により前記位置情報を取得するステップと、取得した前記位置情報を時系列にて蓄積して位置情報履歴を作成するための位置情報履歴作成手段により前記位置情報履歴を作成するステップと、前記位置情報履歴に基づいて前記場所ごとの訪問の頻度と履歴を関連付けて訪問頻度履歴として作成する訪問頻度履歴作成手段により前記訪問頻度履歴を作成するステップと、前記訪問頻度履歴に基づいて前記地図情報の表示の尺度を決定するための表示尺度決定手段により前記表示の尺度を決定するステップと、決定した前記尺度に基づき前記地図情報記憶手段から該当する前記地図情報を呼出して表示するための地図情報表示手段により前記地図情報を呼出して表示するステップと、を有する。
【００１４】
また、請求項６に記載の本発明は、請求項５において、前記地図情報表示手段は、前記ユーザの現在位置を前記地図情報に表示する現在位置表示手段と、前記訪問頻度履歴に基づいて前記ユーザが訪問した位置を前記地図情報に表示する訪問頻度履歴表示手段と、を備える。
【００１５】
また、請求項７に記載の本発明は、請求項５または６のいずれかにおいて、前記位置情報取得手段は、前記位置情報を前記ユーザが任意に修正するための位置情報修正手段を備える。
【００１６】
また、請求項８に記載の本発明は、請求項５〜７のいずれかにおいて、前記地図情報表示手段は、前記地図情報記憶手段から呼出す前記地図情報の尺度を前記表示尺度決定手段が決定した前記尺度以外の他尺度による前記地図情報を呼出すための他尺度地図情報呼出し手段と、前記他尺度地図情報呼出し手段により呼出された他尺度の前記地図情報を記憶するための地図情報一時記憶手段と、前記ユーザの任意により前記地図情報一時記憶手段に記憶された他尺度の前記地図情報に基づいて前記表示の尺度を修正するための地図表示尺度変更手段と、を備える
【発明の効果】
【００１７】
本発明によれば、ユーザの位置情報と位置情報履歴とに基づき、地図情報の表示尺度を決定でき、ユーザが表示尺度を指定する手間を省くとともに適切な尺度で地図情報を提供することが可能な地図表示制御システムおよびそのプログラムを提供することができる。
【発明を実施するための最良の形態】
【００１８】
以下に、図面を用いて本発明に係る実施の形態の構成と動作を説明する。以下の説明に用いる図面では、本発明を実現する上で同じ機能を持つ構成要素には同じ番号を付与する。また、以下の説明は、本発明の理解を助けるものであって、本発明の技術的範囲を制限するものではない。
【００１９】
図１は、本発明の実施の形態による地図表示制御システムの構成説明図であって、インターネット５に接続して様々な情報の提供を受け、あるいは自身からも情報発信するためのユーザ端末１と、このユーザ端末１に含まれる、携帯電話やＰＨＳなどの携帯電話端末１１と、パーソナルデジタルアシスタンス（ＰＤＡ）１２と、パーソナルコンピュータ１３が示されている。このようなユーザ端末１は、移動体通信網４に接続されており、この移動体通信網４を介してインターネット５に接続されている。
【００２０】
また、インターネット５には、位置情報などのコンテキストを取得し管理するコンテキスト管理サーバ２と、位置情報に基づき地図情報を提供する地図情報サーバ３と、移動体通信網４と、インターネット５と、位置発信デバイス６が接続されている。なお、この位置発信デバイス６は、ＲＦＩＤ（Radio Frequency IDentification）無線タグやＰＨＳなどの自身の物理的位置情報を移動体通信網４を経由して、あるいは直接インターネット５へ発信することが可能である。
【００２１】
このよう構成による図１において、ユーザの携帯電話端末１１は移動体通信網４に接続されている。また、ユーザのパーソナルデジタルアシスタンス１２およびパーソナルコンピュータ１３は、データ通信が可能なモバイルカードを搭載することにより移動体通信網４と接続されるか、あるいは図示しないインタフェイス手段を備えてインターネット５に直接接続されている。また「位置発信デバイス」６はＲＦＩＤタグリーダなどを介してインターネット５に直接接続されている。あるいは、ＰＨＳ無線基地局を介して移動体通信網４に接続されている。
【００２２】
次に、図２に示すのは、本発明の実施の形態による地図表示制御システムに係る地図表示制御部２３が、図１に示したコンテキスト管理サーバ２に備わる場合を示しており、コンテキスト管理サーバ２の内部モジュールの構成図を示している。コンテキスト管理サーバ２は、位置情報を取得し管理する位置情報管理部２１と、位置情報管理部２１にて得られた位置情報に基づいて、ある場所に対する訪問頻度履歴を作成する位置情報履歴作成部２２と、ユーザの現在位置情報に基づいて地図情報を地図情報サーバ３から取得し、ユーザの訪問頻度履歴に基づき、表示縮尺を決定し、ユーザの位置情報および訪問頻度履歴からランドマークを含む地図情報を生成し、表示する地図表示制御部２３からなる。なお地図表示制御部２３は、ユーザ端末１に設けられてもよい。
【００２３】
次に、図３には、図２に示した地図表示制御部２３の内部モジュール構成を示している。地図表示制御部２３は、ユーザの訪問頻度履歴を取得してユーザ端末１に表示される地図表示の表示縮尺を決定する地図尺度決定部２４と、複数尺度の地図情報およびユーザの位置情報を含み、訪問頻度履歴からランドマークを含む地図情報を生成する地図情報生成部２５と、生成した複数尺度の地図情報を記憶する地図情報記憶部２６と、地図情報を表示する地図情報表示部２７とからなる。
【００２４】
図４は、本発明の実施の形態によるコンテキスト管理サーバ２において位置情報履歴作成部２２が取得し、位置情報管理部２１が管理している位置情報履歴の位置情報履歴データベース３０である。
【００２５】
この図４に示す位置情報履歴データベース３０の例では、位置情報履歴作成部２２が定期的（１時間ごと）にコンテキスト収集し、位置情報を蓄積した例を示す。例えば、情報段落３１に示す情報の「時刻」は「２００４／１／６  １１：３４」を表しており、この場合は1時間ごとの定期的な情報蓄積ではなく、ユーザがユーザ端末１の操作をしたことを契機として、コンテキスト（位置情報）を収集し蓄積した例である。
【００２６】
また、ユーザを個人識別するための「ユーザＩＤ」やユーザの位置を特定するための「位置情報（緯度）（経度）」も情報収集され、蓄積されている。
【００２７】
図５は、本発明の実施の形態によるコンテキスト管理サーバ２の位置情報履歴管理部２１と位置情報履歴作成部２２とで処理されて生成される位置情報履歴の生成を説明するためのフロー図を示す。
【００２８】
まず、Ｓ１（ステップ１）にて位置情報履歴の蓄積が開始される。
【００２９】
次に、Ｓ２（ステップ２）において、位置情報管理部２１から取得した位置情報履歴データベース３０の内容から、予め設定した一定期間における、全ての位置情報（緯度、経度）で示された場所のそれぞれについて、それぞれの位置情報を中心とした予め定めれた半径Ｙｍ以内に含まれている他の位置情報を抽出する。
【００３０】
次に、Ｓ３（ステップ３）において、前段Ｓ２で抽出した位置情報に基づき、それぞれの場所における訪問回数および滞在時間を算出する。ただし、連続的に同じ位置に滞在している場合は、カウントアップせずに滞在時間のみカウントする。
【００３１】
次に、Ｓ４（ステップ４）において、算出した訪問頻度を蓄積し、抽出されていない位置情報履歴の中から、ある位置情報を中心として、再度、半径Ｙｍ以内に位置する位置情報を抽出する。
【００３２】
次に、Ｓ５（ステップ５）において、未だ抽出されていない位置情報履歴が無くなるまでＳ２、Ｓ３のステップを繰り返す。
【００３３】
次に、Ｓ６（ステップ６）において、全ての位置履歴情報が抽出されて終了する。
【００３４】
図６に示すのは、図４にて示した位置情報履歴データベース３０の内容に基づいて、一定期間（この図６では４週間を例とした。）における位置情報（緯度、経度）を抽出し、さらに任意の位置情報を中心点とした半径Ｙｍ以内に含まれる位置情報を位置情報履歴から抽出している。さらにこれらの抽出した位置情報と算出した訪問回数を一日単位ごとに分けて、日毎にそれぞれ蓄積して生成した訪問頻度履歴データベース３２のデータ構成例である。
【００３５】
図７は、本発明の実施の形態によるコンテキスト管理サーバ２における地図表示制御部２３にて実行される地図表示尺度を決定するための処理のフロー図である。
【００３６】
まず、Ｓ１０（ステップ１０）において、ユーザ端末１の図示しないディスプレイに地図を表示するための地図表示の尺度（縮尺）を決定する演算処理が開始される。
【００３７】
次に、Ｓ１１（ステップ１１）において、位置情報管理部２１がユーザの現在位置を取得する。この現在位置の取得は、一定時間間隔か、あるいはユーザの任意の操作に基づいて指定された任意の時点でもって実行される。取得された位置情報は、位置情報履歴管理部２２にて履歴管理される。
【００３８】
次に、Ｓ１２（ステップ１２）において、地図尺度決定部２４は、位置情報管理部２１が取得した現在位置情報に基づき、ユーザの訪問頻度履歴を抽出する。この訪問履歴頻度は位置情報履歴作成部２２から取得したユーザの現在位置情報に基づいており、現在位置周辺エリアの訪問頻度履歴である。
【００３９】
次に、Ｓ１３（ステップ１３）において、地図尺度決定部２４は現在位置周辺エリアの訪問頻度履歴に基づき、地図の表示尺度（縮尺）を決定する。
【００４０】
次に、Ｓ１４（ステップ１４）において、地図表示の尺度を決定する演算処理が終了する。
【００４１】
図８は、本発明の実施の形態による訪問頻度と地図表示尺度の対応をデータベース化した表示尺度データベース３３の構成例である。地図尺度決定部２４は、図７のフロー図のＳ１３において、地図表示の尺度を決定するに際し、現在位置情報から現在位置におけるユーザの訪問頻度を求め、その訪問頻度に応じた地図表示尺度を選択する。この地図表示尺度と訪問頻度との関係は、この表示尺度データベース３３に示すように、予め定められた対応関係に従って決定され、例えば「訪問頻度」が「２週に２回以上」である場合は「１／２００」の地図表示尺度となる。
【００４２】
次に、図９は、本発明の実施の形態による地図表示制御部２３における地図情報生成処理を実行するための演算処理を説明するためのフロー図を示す。
【００４３】
まず、Ｓ２０（ステップ２０）において、地図情報生成処理の演算が開始される。
【００４４】
次に、Ｓ２１（ステップ２１）において、地図情報生成部２５は、地図情報サーバ３からユーザの現在位置が含まれる地域の地図情報を取得する。ここで取得される地図情報は複数種類の尺度のそれぞれの地図情報が取得される。
【００４５】
次に、Ｓ２２（ステップ２２）において、地図情報生成部２５は、位置情報管理部２１から取得したユーザの現在位置情報を含む地図情報を生成する。
【００４６】
次に、Ｓ２３（ステップ２３）において、地図情報生成部２５は、位置情報履歴作成部２２から取得したユーザの現在位置情報における訪問頻度履歴に基づき、過去に訪問したことのある場所をランドマークとして含む地図情報を生成し、生成した地図情報を地図情報記憶部２６へ渡す。
【００４７】
次に、Ｓ２４（ステップ２４）において、地図情報生成処理が終了する。
【００４８】
図１０は、本発明の実施の形態に係る地図情報表示部２７により、ユーザ端末１の画像表示装置３４に地図情報を画像表示した場合の表示例を示している。この画像表示装置３４に表示される地図表示は、図５、図７、図９に示した一連の演算処理の結果に基づいて画像表示される。
【００４９】
ここで、図１０中の（Ａ）に示すのは、ユーザの訪問頻度が高い場所を示している地図表示３６であり、ユーザの現在位置を示すための人型キャラクタ表示がされている。また、地図表示３６中の◎の表示は、過去の訪問頻度履歴データベース３２での中心点の緯度経度を表しており、★の表示はユーザの目的地を示す。なお、◎の表示には、その場所をユーザが訪問した履歴を日時３８で表示している。また、図１０中の（Ｂ）に示すのは、訪問頻度が低い場所を示す地図表示３５であり、訪問頻度が高い場所より、表示尺度が小さい。地図表示３５では、ユーザの訪問履歴頻度が高い地域を示すために地図表示３６が破線で表示されている。ユーザは、この画像表示装置３４が備える操作矢印ボタン３７を選択して操作することで、表示画面を拡大／縮小したり、あるいは表示場所や地図表示尺度を修正することができる。
【００５０】
図１１は、本発明の実施の形態による地図表示制御部２３における地図情報修正処理手順の演算処理を説明するためのフロー図を示している。この地図情報修正処理手順は、たとえば図１０を参照して説明した画像表示装置３４において、操作矢印ボタン３７を操作して「修正」が指示された場合に実行される処理である。
【００５１】
まず、Ｓ３０（ステップＳ３０）において、「修正」の指示に応じて地図情報修正処理手順が開始される。
【００５２】
次に、Ｓ３１（ステップ３１）において、地図情報表示部２７は、ユーザが任意の時点で選択した表示尺度によって、地図情報記憶部２６から選択された表示尺度の地図情報を取得し、表示する。
【００５３】
次に、Ｓ３２（ステップ３２）において、表示したユーザの現在位置情報の修正が任意の時点で選択された場合、修正されたユーザの現在位置情報を地図情報記憶部２７が取得し、地図情報生成部２５に渡す。
【００５４】
次に、Ｓ３３（ステップ３３）において、地図情報生成部２５は、修正されたユーザの位置情報における訪問頻度履歴に基づき、過去に訪問したことのある場所をランドマークとして含む地図情報を生成し、生成した地図情報を地図情報記憶部２６へ渡す。
【００５５】
次に、Ｓ３４（ステップ３４）において、一連の情報修正処理手順が終了する。
【００５６】
以上説明した本発明の実施の形態によれば、ユーザが表示尺度を指定する手間を省き、適切な尺度で地図情報を提供することができる。また、ユーザの位置情報履歴に基づき、地図の表示尺度を制御するシステムおよびそのプログラムに関し、より詳細には、ユーザの位置情報を基に、ある場所ごとの訪問頻度を管理し、訪問頻度によって、表示する地図情報の表示尺度を決定する地図表示制御システムおよびそのプログラムを提供することができる。
【図面の簡単な説明】
【００５７】
【図１】本発明の地図表示制御システムおよびそのプログラムの実施の形態に係る、地図表示制御システムの全体構成を説明するための構成図を示す。
【図２】本発明の地図表示制御システムおよびそのプログラムの実施の形態に係る、コンテキスト管理サーバを説明するための構成図を示す。
【図３】本発明の地図表示制御システムおよびそのプログラムの実施の形態に係る、コンテキスト管理サーバが有する地図表示制御部の詳細構成を説明するための構成図を示す。
【図４】本発明の地図表示制御システムおよびそのプログラムの実施の形態に係る、地図表示制御システムに適用される位置情報履歴のデータベース構成を示す。
【図５】本発明の地図表示制御システムおよびそのプログラムの実施の形態に係る、地図表示制御システムおよびそのプログラムの動作および処理において使用する訪問頻度履歴生成処理のフロー図を示す。
【図６】本発明の地図表示制御システムおよびそのプログラムの実施の形態に係る、地図表示制御システムが使用する訪問頻度履歴のデータベース構成を示す。
【図７】本発明の地図表示制御システムおよびそのプログラムの実施の形態に係る、地図表示制御システムおよびそのプログラムの動作および処理において使用する地図表示尺度決定処理のフロー図を示す。
【図８】本発明の地図表示制御システムおよびそのプログラムの実施の形態に係る、地図表示制御システムおよびそのプログラムの動作および処理において使用する訪問頻度履歴および地図表示尺度対応のデータベース構成を示す。
【図９】本発明の地図表示制御システムおよびそのプログラムの実施の形態に係る、地図表示制御システムおよびそのプログラムの動作および処理において使用する地図情報生成処理のフロー図を示す。
【図１０】本発明の地図表示制御システムおよびそのプログラムの実施の形態に係る、地図表示制御システムが表示する地図表示を説明するための説明図を示す。
【図１１】本発明の地図表示制御システムおよびそのプログラムの実施の形態に係る、地図表示制御システムおよびそのプログラムの動作および処理において使用する地図情報修正処理のフロー図を示す。
【符号の説明】
【００５８】
１  ユーザ端末
２  コンテキスト管理サーバ
３  地図情報サーバ
４  移動体通信網
５  インターネット
２１  位置情報管理部
２２  位置情報履歴作成部
２３  地図表示制御部
２４  地図尺度決定部
２５  地図情報生成部
２６  地図情報記憶部
２７  地図情報表示部
【図１】
2005321259.tif 000003
【図２】
2005321259.tif 000004
【図３】
2005321259.tif 000005
【図４】
2005321259.tif 000006
【図５】
2005321259.tif 000007
【図６】
2005321259.tif 000008
【図７】
2005321259.tif 000009
【図８】
2005321259.tif 000010
【図９】
2005321259.tif 000011
【図１０】
2005321259.tif 000012
【図１１】
2005321259.tif 000013